(57)【特許請求の範囲】
【請求項１】
金属製の外側フロント枠の両端部に蝶番を介してテンプルを連結した外側フレームと、金属製の内側フロント枠に一対のレンズを備える内側フレームとからなる眼鏡フレームであって、
前記内側フロント枠のブリッジは、一対のリムを連結するとともに、両リムに沿って左右両側に向かって延長され、両端部が前記外側フロント枠に連結されていることを特徴とする眼鏡フレーム。
【請求項２】
前記内側フロント枠の前記ブリッジは、前記外側フロント枠に連結されている部分間の距離が、前記リムを連結している部分間の距離に対して２倍以上であることを特徴とする請求項１に記載の眼鏡フレーム。
【請求項３】
前記外側フロント枠が、ハーフリムタイプであることを特徴とする請求項１又は２に記載の眼鏡フレーム。
【請求項４】
前記内側フロント枠が、フルリムタイプであることを特徴とする請求項１乃至３の何れか１項に記載の眼鏡フレーム。
【請求項５】
前記外側フレームが、前記蝶番の近傍に弾性体を備えていることを特徴とする請求項１乃至４の何れか１項に記載の眼鏡フレーム。
【請求項６】
ノーズパッドが、前記内側フロント枠に取付けられていることを特徴とする請求項１乃至５の何れか１項に記載の眼鏡フレーム。
【発明の詳細な説明】
【技術分野】
【０００１】
本発明は眼鏡フレームに関し、特に、テンプルを大きく開いた場合でも、レンズに影響を与えることのない眼鏡フレームに関する。
【背景技術】
【０００２】
一般に、眼鏡フレームは、一対のレンズを保持するフロント枠の両端部に蝶番を介してテンプルが連結されている。フロント枠としては、フルリムタイプ、ハーフリムタイプ、又はツーポイントと呼ばれるリムレスのものがある。
【０００３】
使用者が通常眼鏡フレームを使用しているときは、フロント枠に対してテンプルが最大に拡開した状態（最大拡開状態）で使用している。すなわち、使用者が眼鏡フレームを購入する際に、蝶番の開き具合やテンプルの曲がり具合を調節して、テンプルが頭部に大きな力を及ぼすことがないように、また、頭部に密着するようにしている。
【０００４】
しかしながら、眼鏡を装着する際や取り外す際には、使用者は、無意識に最大拡開状態よりもさらに大きくテンプルを広げている。このために、眼鏡フレームを長期間使用していると、次第にテンプルが頭部に密着しなくなり、使用に支障を来すようになる。また、時にはフロント枠に大きな力が作用して、レンズを破損させることもある。
【０００５】
例えば、特許文献１には、テンプルを大きく開いた場合でもレンズに力が作用することのない眼鏡フレームが記載されている。図６に示すように、この眼鏡フレーム１１０は、Ｌ字状をなして、レンズ１６０の内側部を保持する左右一対のレンズステー１２２と、この一対のレンズステー１２２を連結するブリッジ１２３と、レンズステー１２２にそれぞれ連結される長尺の鎧部１２４と、この鎧部１２４に蝶番１３０を介して折り畳み可能に連結されるテンプル１３１とを備え、両レンズステー１２２にはレンズ１６０を保持するレンズ止め１６２が取付けられている。
【０００６】
ここで、レンズ１６０は、レンズ止め１６２によって、レンズステー１２２にワンポイントで取付けられている。このため、テンプル１３１を大きく開いた場合でも、両レンズ１６０には殆ど力が作用しないようになっている。また、テンプル１３１とともに、長尺の鎧部１２４が弾性を有しているので、大きな拡開を繰り返しても、テンプル１３１及び鎧部１２４の弾性範囲内とすることができる。
【０００７】
しかしながら、特許文献１に記載された発明のみでは、デザインの幅が限られており、フルリムタイプのフロント枠等については、同様の機能を備える他のデザインを開発する必要がある。
【先行技術文献】
【特許文献】
【０００８】
【特許文献１】特開２００８−７６７４３号公報
【発明の概要】
【発明が解決しようとする課題】
【０００９】
そこで、本発明の目的は、テンプルを大きく開いた場合でも、そのレンズには殆ど力が作用しない眼鏡フレームであって、斬新なデザインを備えるとともに、さらに幅広い展開が可能な眼鏡フレームを提供することにある。
【課題を解決するための手段】
【００１０】
上記の課題を解決するために、本発明の請求項１に係る眼鏡フレームは、金属製の外側フロント枠の両端部に蝶番を介してテンプルを連結した外側フレームと、金属製の内側フロント枠に一対のレンズを備える内側フレームとからなる眼鏡フレームであって、前記内側フロント枠のブリッジは、一対のリムを連結するとともに、両リムに沿って左右両側に向かって延長され、両端部が前記外側フロント枠に連結されている手段を採用している。
【００１１】
また、本発明の請求項２に係る眼鏡フレームは、請求項１に記載の眼鏡フレームにおいて、前記内側フロント枠の前記ブリッジは、前記外側フロント枠に連結されている部分間の距離が、前記リムを連結している部分間の距離に対して２倍以上である手段を採用している。また、本発明の請求項３に係る眼鏡フレームは、請求項１又は２に記載の眼鏡フレームにおいて、前記外側フロント枠が、ハーフリムタイプである手段を採用している。また、本発明の請求項４に係る眼鏡フレームは、請求項１乃至３の何れか１項に記載の眼鏡フレームにおいて、前記内側フロント枠が、フルリムタイプである手段を採用している。
【００１２】
また、本発明の請求項５に係る眼鏡フレームは、請求項１乃至４の何れか１項に記載の眼鏡フレームにおいて、前記外側フレームが、前記蝶番の近傍に弾性体を備えている手段を採用している。また、本発明の請求項６に係る眼鏡フレームは、請求項１乃至５の何れか１項に記載の眼鏡フレームにおいて、ノーズパッドが、前記内側フロント枠に取付けられている手段を採用している。
【発明の効果】
【００１３】
上記のような構成としたことにより、本発明の眼鏡フレームは、実用的であるとともに斬新なデザインを備えた眼鏡フレームであって、レンズに力を殆ど作用させることなく、テンプルを大きく開くことができる。また、デザインは、さらに幅広いバリエーションを備えることができる。
【図面の簡単な説明】
【００１４】
【図１】本発明の実施の一例を示す眼鏡フレームであり、（ａ）は概略正面図、（ｂ）は概略側面図、（ｃ）は概略平面図である。
【図２】図１の眼鏡フレームのフロント部を示す概略斜視図である。
【図３】図１の眼鏡フレームの外側フレームであり、（ａ）は概略平面図、（ｂ）は概略正面図である。
【図４】図１の眼鏡フレームの内側フレームであり、（ａ）は概略平面図、（ｂ）は概略正面図である。
【図５】内側フレームについての説明図である。
【図６】従来の眼鏡フレームの一例を示す概略斜視図である。
【発明を実施するための形態】
【００１５】
図１は、本発明の実施の一例である眼鏡フレーム１０を示しており、（ａ）はその正面図、（ｂ）は側面図、（ｃ）は平面図である。図２は、眼鏡フレーム１０のフロント部を示す斜視図である。眼鏡フレーム１０は、外側フレーム２０及び内側フレーム５０により構成されていることを特徴としている。図３は眼鏡フレーム１０の外側フレーム２０であり、（ａ）はその平面図、（ｂ）は正面図である。図４は眼鏡フレーム１０の内側フレーム５０であり、（ａ）はその平面図、（ｂ）は正面図である。
【００１６】
すなわち、眼鏡フレーム１０は、一見すると通常のフルリムタイプの外観を呈しているが、外側フレーム２０と内側フレーム５０とによって構成されている。そして、外側フレーム２０には、外側フロント枠２１、蝶番３０及びテンプル３１が含まれており、内側フレーム５０には、内側フロント枠５１及び一対のレンズ６０が含まれている。
【００１７】
外側フロント枠２１は金属製であって、一対のリム２２がブリッジ２３によって連結され、その両端部を構成する鎧部２４に、蝶番３０を介してテンプル３１が回動可能に取り付けられている。この例において、外側フロント枠２１は、ハーフリムタイプで示されているが、フルリムタイプとすることも可能である。また、テンプル３１については、金属製で示されているが、樹脂製とすることもできる。
【００１８】
蝶番３０は、外側フロント枠２１に対してテンプル３１を回動可能にするとともに、その回動範囲を制限するようになっている。すなわち、眼鏡フレーム１０の使用状態では、最大拡開状態以上に回動しないようになっており、不使用状態では、テンプル３１を内側に折り畳んでケースに収納できるようにしている。
【００１９】
外側フレーム２０は、蝶番３０の近傍に弾性体３２を備えていることが好ましい。ここで、蝶番３０の近傍とは、鎧部２４の一部、テンプル３１の一部、及び蝶番３０の一部が含まれることとする。この例においては、テンプル３１の端部をＵ字状に形成して弾性体３２としている。弾性体３２の形状はＵ字状に限らず、Ｓ字状等とすることもできる。
【００２０】
そして、弾性体３２は、少なくとも１０°以上の角度で、弾性変形可能であることが好ましい。これによって、使用者が眼鏡フレーム１０を装着したり取り外したりする際に、最大拡開状態よりもさらに、片側１０°以上に開くことが可能であり、レンズ６０の破損等を防止することができる。
【００２１】
図４に示すように、内側フレーム５０の内側フロント枠５１は金属製であって、一対のリム５２がブリッジ５３で連結され、一対のレンズ６０が取り付けられている。この例において、内側フロント枠５１は、レンズ６０を固定する鎧部５４を備えるフルリムタイプで示されているが、ナイロールタイプ（ハーフリムタイプ）とすることもできる。
【００２２】
内側フロント枠５１のブリッジ５３は、連結金具５５を介して一対のリム５２を連結しているとともに、その連結部分からさらに両リム５２に沿って左右両側に向かって延長され、その両端部５６が外側フロント枠２１に連結されるようになっている。リム５２と連結金具５５との連結、連結金具５５とブリッジ５３との連結、及びブリッジ５３と外側フロント枠２１との連結はロウ付けとすることが好ましい。
【００２３】
図５に示すように、ブリッジ５３にリム５２が連結されている部分間の距離をｘとし、ブリッジ５３が外側フロント枠２１に連結されている部分間の距離をｙとすると、ｘとｙとの好ましい関係を示すことができる。すなわち、当然ｙはｘよりも大きいのであるが、ｙはｘの２倍以上であることが好ましく、２．５倍から３．５倍の間とすることが特に好ましい。
【００２４】
このような関係とすることにより、テンプル３１を大きく開いた場合でも、レンズ６０には、殆ど力が作用しないことになる。すなわち、その力は、外側フロント枠２１及び内側フロント枠５１のブリッジ５３によって吸収されるとともに、ブリッジ５３とリム５２との連結がワンポイントであるために、レンズ６０にまで影響を与えることは殆どないのである。さらに、蝶番３０の近傍に弾性体３２を備えることにより、その影響を一層小さくすることができる。
【００２５】
さらに、外側フロント枠２１は、ハーフリムタイプとしたりフルリムタイプとしたりすることが可能であり、内側フロント枠５１は、フルリムタイプとしたりナイロールタイプとすることが可能である。また、テンプル３１は、金属製とすることも樹脂製とすることも可能である。したがって、デザインが幅広いバリエーションを備えることになる。
【００２６】
なお、眼鏡フレーム１０では、ノーズパッド６１が内側フロント枠５１に取り付けられる例を示したが、外側フロント枠２１に取り付けることも可能である。また、弾性体３２はテンプル３１の端部に設けられ、その形状をＵ字状としたが、蝶番３０の蝶片又は鎧部２４の一部とすることも可能である。
【符号の説明】
【００２７】
１０    眼鏡フレーム
２０    外側フレーム
２１    外側フロント枠
３０    蝶番
３１    テンプル
３２    弾性体
５０    内側フレーム
５１    内側フロント枠
５２    リム
５３    ブリッジ
６０    レンズ
６１    ノーズパッド
【図１】
0005829084.tif 000002
【図２】
0005829084.tif 000003
【図３】
0005829084.tif 000004
【図４】
0005829084.tif 000005
【図５】
0005829084.tif 000006
【図６】
0005829084.tif 000007